(57)【要約】【課題】１台のファクシミリ装置を例えば複数の部署で共有可能とし、各部署ごとに適した方法でファクシミリ文書の受信処理を行うことができるファクシミリ装置の提供。【解決手段】複数の通信回線に接続する手段（１３、１６）と、通信回線と該通信回線より受信したファクシミリ文書の受信処理の仕方との対応を回線別に記憶する記憶手段（１１）と、受信したファクシミリ文書に対して前記記憶手段を参照して通信回線に対応した処理の仕方で受信処理を行うように制御する手段（１６）と、を備えている。【選択図】図１
2004032057.tif 000002
【特許請求の範囲】
【請求項１】
複数の回線と通信接続する手段と、
回線と該回線より受信したファクシミリ文書の受信処理の仕方との対応を、回線ごとに記憶する記憶手段と、
回線より受信したファクシミリ文書に対して、前記記憶手段の内容を参照し、前記回線に対応した処理の仕方で、前記ファクシミリ文書の受信処理を行うように制御する手段と、
を備えている、ことを特徴とするファクシミリ装置。
【請求項２】
前記複数の回線が、公衆回線網の１又は複数のファクシミリ回線と、パケット交換網のネットワーク回線よりなる、ことを特徴とする請求項１記載のファクシミリ装置。
【請求項３】
公衆回線網を介してファクシミリ端末とファクシミリ文書の伝送を行う手段と、
パケット交換網を介して端末と通信接続する手段と、
前記公衆回線網の回線と、前記パケット交換網のネットワーク回線のそれぞれについて、回線と該回線より受信したファクシミリ文書の受信処理の仕方との対応を、回線別に記憶する記憶手段と、
回線より受信したファクシミリ文書に対して、前記記憶手段の内容を参照し、前記回線に対応した処理の仕方で、受信処理を行うように制御する手段と、
を備えている、ことを特徴とするファクシミリ装置。
【請求項４】
前記ファクシミリ端末より前記公衆回線網を介して受信したファクシミリ文書を、前記記憶手段に記憶されている、回線に対応した処理の仕方に従い、印字出力するか、あるいは、前記パケット交換網を介して宛先端末に送信する手段を備えている、ことを特徴とする請求項３記載のファクシミリ装置。
【請求項５】
前記パケット交換網上の端末より送信され前記ネットワーク回線を介して受信したファクシミリ文書に対して、前記ファクシミリ文書を、前記ファクシミリ装置内のメモリに格納する処理を、前記記憶手段が、回線に対応した処理の仕方として含む、ことを特徴とする請求項３記載のファクシミリ装置。
【請求項６】
前記パケット交換網が、ＩＰ（Ｉｎｔｅｒｎｅｔ　Ｐｒｏｔｏｃｏｌ）パケットを転送するＩＰ網よりなり、
前記パケット交換網を介して接続される端末が、計算機端末、又は、ＩＰファクシミリ装置である、ことを特徴とする請求項２又は３記載のファクシミリ装置。
【請求項７】
前記記憶手段に記憶される、回線と該回線より受信したファクシミリ文書の受信処理の仕方との対応を、可変に設定する手段を備えている、ことを特徴とする請求項１又は３記載のファクシミリ装置。
【発明の詳細な説明】
【０００１】
【発明の属する技術分野】
本発明は、ファクシミリ装置に関し、特に、ファクシミリ文書の受信処理を回線毎に可変可能としたファクシミリ装置に関する。
【０００２】
【従来の技術】
人手による記録画像の仕分け作業を不要とし利便性を向上させることを目的としたファクシミリ装置として、例えば特開平９−１１６６８０号公報には、複数の回線からの各ファクシミリ情報をそれぞれ受信する複数の通信部を備え、これら複数の通信部からの情報を記録する記録回路の出力側には、記録画像を格納する複数のソータが設置されており、各回線に対応してこのソータの段を設定し、段設定されたソータに、これに対応する回線を通して受信した情報の記録画像を格納する構成が開示されている。
【０００３】
かかる構成のファクシミリ装置によれば、回線毎に使用する部署を変えることにより、出力される記録画像の部署毎の仕分けが自動で行われる。あるいは、家庭で仕事をする場合、１回線を仕事用、もう１回線は遊び用とし、記録画像の仕事／遊び用の仕分けが自動で行われる
【０００４】
【発明が解決しようとする課題】
しかしながら、上記公報に記載されているファクシミリ装置は、各回線に対応する分のソータがなければ、回線ごとの仕分け作業が実現できない、という問題点を有している。
【０００５】
その理由は次の通りである。ソータは、必ずしもファクシミリ装置に備わるものではなく、このため、ファクシミリ装置のオプションとして構成される。よって、ソータを具備せぬファクシミリ装置本体のみでは、実現が困難となるからである。
【０００６】
したがって、本発明の目的は、１台のファクシミリ装置を例えば複数の部署で共有可能としており、ソータ等を要することなく、各部署ごとに適した方法で、ファクシミリ文書の受信処理を行うことができるファクシミリ装置を提供することにある。
【０００７】
【課題を解決するための手段】
前記目的を達成する本発明は、複数の回線に接続する手段と、回線と該回線より受信したファクシミリ文書の受信処理の仕方との対応を、回線ごとに、記憶する記憶手段と、回線より受信したファクシミリ文書に対して、前記記憶手段の内容を参照し、前記回線に対応した処理の仕方で、前記ファクシミリ文書の受信処理を行うように制御する手段と、を備えている。
【０００８】
本発明において、前記複数の回線が、公衆回線網上の１又は複数のファクシミリ回線と、パケット交換網のネットワーク回線よりなる。
【０００９】
【発明の実施の形態】
本発明の実施の形態について説明する。本発明の一実施の形態に係るファクシミリ装置においては、公衆回線網（２０）を介してファクシミリ端末（３１、３２）とファクシミリ伝送を行う手段（１６）と、パケット交換網（４０）を介して端末（５１、５２）と通信接続する手段（１３）と、回線と該回線より受信したファクシミリ文書の受信処理の仕方との対応を回線別に記憶する記憶手段（１１）と、回線より受信したファクシミリ文書に対して、前記回線に対応した処理の仕方で、受信処理を行うように制御する手段（１８）と、を備えている。
【００１０】
本発明の一実施の形態に係るファクシミリ装置においては、記憶手段（１１）には、例えば、回線に対応した処理の仕方として、公衆回線網（２０）の端末より受信したファクシミリ文書を、回線番号等に応じて、プリント出力あるいは、パケット交換網（４０）の宛先端末（５１、５２）に送信し、また、パケット交換網の端末からの文書をメモリ（１７）に格納するという受信処理が、登録される。
【００１１】
このように、本発明の一実施の形態においては、一台のファクシミリ装置（１０）に、公衆回線網（２０）、パケット交換網（４０）などの通信回線を複数接続可能なファクシミリ装置において、受信したファクシミリ文書の処理（例えば、プリントへの出力処理、ファクシミリ装置内部への保存処理、他のファクシミリ装置やパーソナルコンピュータへの転送処理、およびその組み合わせによる処理）を受信した回線ごとに制御する場合に、受信したファクシミリ文書の受信処理の形態を装置内の記憶手段（１１）に、回線ごとに登録しておき、ファクシミリ文書を受信した場合に、前記登録した処理に従って、受信処理を制御する。このため、本発明の実施の形態のファクシミリ装置によれば、複数台のファクシミリ装置を持たなくても、例えば複数部署の各部署ごとに適した方法で、ファクシミリ文書の受信処理を行うことができる。
【００１２】
【実施例】
上記した実施の形態についてさらに詳細に説明すべく、本発明の実施例について説明する。図１は、本発明の第１実施例のファクシミリ装置の構成を示すブロック図である。図１を参照すると、この実施例のファクシミリ装置１０は、公衆回線網２０を介してファクシミリ装置（「ＦＡＸ装置」ともいう）３１、３２と接続し、イントラネットやインターネットなどのＬＡＮ（ローカルエリアネットワーク）回線４０を介して、ＬＡＮ４０に接続されているパーソナルコンピュータ５２やＩＰアドレス・ファクシミリ装置（「ＩＰアドレスＦＡＸ装置」ともいう）５１に接続される。図１では、単に、説明の便宜のために、ＬＡＮ４０には、パーソナルコンピュータ５２とＩＰアドレス・ファクシミリ装置５１の２台が接続されている例が示されているが、本発明において、ＬＡＮ４０に接続される端末の台数は２台に限定されるものでないことは勿論である。また本発明において、公衆回線網２０に接続されるファクシミリ装置も２台に限定されるものでないことは勿論である。
【００１３】
ファクシミリ装置１０は、受信したファクシミリ文書の処理方法を登録管理する受信処理方法登録部１１と、テンキー及び操作キー等を備えた入力手段と、液晶表示装置等からなる表示手段を備えた操作部１２と、ＬＡＮ４０上の他のファクシミリ装置（ＩＰアドレスＦＡＸ装置）、及びパーソナルコンピュータとデータとの間で通信を行うＬＡＮインタフェース部１３と、ファクシミリ受信文書をプリントするプリンタ部１４と、ファクシミリ送信文書の画像読み取りを行うスキャナ部１５と、スキャナ部１５で読み取られたイメージデータの符号化を行う符号化回路と、受信ファクシミリ文書を復号化してイメージデータを作成する復号回路と、通信モデム（ＦＡＸモデム）と、網制御回路（ＮＣＵ）等から構成され、ファクシミリ文書の送受信を行う通信部１６と、一定サイズのブロック単位で書き込み及び読み出しが行われるメモリであり、圧縮符号化された画データ（イメージデータ）が格納され、ページ毎の画サイズ、解像度、画データ量等のページ毎の属性情報も合わせて記憶される画データメモリ１７と、上記各部を制御するメイン制御部１８と、を備えている。
【００１４】
図２は、本発明の一実施例における受信処理方法登録部１１に登録される情報の一例を示した図である。
【００１５】
受信処理方法登録部１１には、受信回線と受信処理方法が対応して記憶されている。Ｇ３（Ｇｒｏｕｐ　３）回線１での受信文書はプリンタ部１４で出力、Ｇ３回線２での受信文書は、ＬＡＮ４０を介してパーソナルコンピュータ５２へ転送、ネットワーク回線での受信文書は、ファクシミリ装置１０内部に保存という処理が記憶されている。図２に示す例では、図１のファクシミリ装置１０において、通信部１６は、Ｇ３回線１、２の２回線に接続されるものとされており、この場合、図１の通信部１６は、図示されないＮＣＵ、モデムをＧ３回線数分備え、符号化回路、復号回路は複数のＧ３回線に共通であってもよい。
【００１６】
図３は、図２に示した受信処理方法登録部１１の登録内容にしたがってファクシミリ受信文書の処理を行う場合の動作を模式的に説明するための図である。図３を参照して、本実施例の動作について説明する。
【００１７】
ファクシミリ受信装置１０は、ＦＡＸ装置３１より公衆回線網２０を介してファクシミリ文書が送信された場合に、ファクシミリ文書の受信処理（受信者）に適した仕方で、ファクシミリ受信文書を処理する。
【００１８】
受信者は、ファクシミリ受信装置１０の操作部１２等を介して、ファクシミリ文書の受信処理の仕方を、図２に示すように、受信処理方法登録部１１にあらかじめ設定登録しておく。
【００１９】
公衆回線網２０に接続されているＦＡＸ装置３１より、ファクシミリ受信装置１０のＧ３回線１に送信が行われると、ファクシミリ受信装置１０では、Ｇ３回線１で着信する。このとき、メイン制御部１８が、受信処理方法登録部１１に対して、着信した回線に対する受信文書の処理方法を確認した後、公衆回線網２０より、ファクシミリ文書を受信し、受信処理方法登録部１１で指定されている処理方法に従い、受信ファクシミリ文書の処理を実行する。Ｇ３回線１に対する受信処理方法がプリント出力となっているため、プリンタ部１４からの印字出力を実行する。
【００２０】
また、公衆回線網２０に接続されているＦＡＸ装置３２からファクシミリ受信装置１０のＧ３回線２に着信が入ると、メイン制御部１８が受信処理方法登録部１１に対して、Ｇ３回線２で着信した場合の受信文書の処理方法（Ｇ３回線２に対する受信処理方法がパーソナルコンピュータ（アドレスＡ）への転送となっていること）を確認して、パーソナルコンピュータ５２（アドレスＡ）へ受信文書を転送する。この場合、メイン制御部１８とＬＡＮインタフェース１３は、通信部１６で受信したファクシミリ文書をパケットデータに組み立て、ヘッダに、宛先ＩＰ（Ｉｎｔｅｒｎｅｔ　Ｐｒｏｔｏｃｏｌ）アドレス、送信元であるファクシミリ装置１０のＩＰアドレス等必要な情報を設定したＩＰパケットを生成し、ＬＡＮ４０に送出する。なお、ファクシミリ（ＦＡＸ）信号をＩＰ（Ｉｎｔｅｒｎｅｔ　Ｐｒｏｔｏｃｏｌ）に変換する手順として、例えばＨ３２３．Ａｎｎｅｘ　Ｄには、ＩＴＵ−Ｔ．３８勧告（ＩＰネットワークのリアルタイムＧ３ＦＡＸの通信手順）の利用が規定されており、ＩＰアドレスＦＡＸ装置５１等との間ではこの手順を用いてもよい。ＩＴＵ−Ｔ．３８勧告（リアルタイム型インターネットＦＡＸ）では、トランスポート層としてＵＤＰ（Ｕｓｅｒ　Ｄａｔａｇｒａｍ　Ｐｒｏｔｏｃｏｌ）又はＴＣＰ（Ｔｒａｎｓｍｉｓｓｉｏｎ　Ｃｏｎｔｒｏｌ　Ｐｒｏｔｏｃｏｌ）のいずれかが選択され、パケットのヘッダ構成としては、ＵＤＰの場合、ＩＰヘッダ、ＵＤＰヘッダ、ＵＤＰＬＴ（Ｕｓｅｒ　Ｄａｔａｇｒａｍ　Ｐｒｏｔｏｃｏｌ　Ｔｒａｎｓｐｏｒｔ　Ｌａｙｅｒ）ヘッダ、ＩＦＰ（Ｉｎｔｅｒｎｅｔ　Ｆａｃｓｉｍｉｌｅ　Ｐｒｏｔｏｃｏｌ）パケットよりなり、ＩＦＰパケットはＩＦＰヘッダ、シーケンス番号等を含み、ＴＣＰの場合、ＩＰヘッダ、ＴＣＰヘッダ、ＴＰＫＴ（Ｔｒａｎｓｐｏｒｔ　Ｐｒｏｔｏｃｏｌ　Ｄａｔａ　Ｕｎｉｔ　ｐａｃｋｅｔ）ヘッダ、ＩＦＰパケットよりなる。
【００２１】
またＬＡＮ４０に接続されているＩＰアドレスＦＡＸ装置５１からファクシミリ装置１０のネットワーク回線に着信が入ると、ファクシミリ装置１０のメイン制御部１８は、受信処理方法登録部１１に対して、ネットワーク回線で着信した場合のファクシミリ受信文書の処理方法（ネットワーク回線に対する受信処理方法がファクシミリ装置内部へ保存となっていること）を確認し、受信文書を、画データメモリ（またはハードディスク）１７に蓄積する。また、受信処理方法登録部１１の内容に従い、ＩＰアドレスＦＡＸ装置５１からの受信文書を、一旦、画データメモリ（またはハードディスク）１７に蓄積し、プリント出力してもよいし、あるいは、例えば公衆回線網２０を介して宛先ファクシミリ装置へ送信してもよい。
【００２２】
なお、本実施例では、Ｇ３回線１、２、およびネットワーク回線（ＬＡＮ）からなる例を説明したが、それぞれ複数回線が接続される装置では、受信処理方法も複数回線に対応して登録できる。
【００２３】
上記実施例においては、前述したように、ＬＡＮ４０は、図示されないルータ、ゲートウエイ等を介してインターネットに接続される構成としてもよく、ファクシミリ装置１０は、ＶｏＩＰ（Ｖｏｉｃｅ　Ｏｖｅｒ　ＩＰ）等によりインターネットを介して、他の端末と通信接続する構成としてもよい。また、上記実施例では、Ｇ３ＦＡＸ（Ｇｒｏｕｐ　３　Ｆａｃｓｉｍｉｌｅ）を例に説明したが、本発明はかかる構成に限定されるものでない。また、ＬＡＮ４０は、ＡＴＭ（非同期転送）網等のパケット交換網であってもよい。
【００２４】
以上、本発明を上記実施例に即して説明したが、本発明はかかる構成に限定されるものでなく、本願特許請求の範囲の各請求項の発明の範囲内で当業者であればなし得るであろう、各種、変形、修正を含むことは勿論である。
【００２５】
【発明の効果】
以上説明したように、本発明によれば、一台のファクシミリ装置を複数の部署で共有することを可能としており、複数台のファクシミリ装置を持たなくても、各部署ごとに適した方法で、ファクシミリ文書の受信処理を行うことができる、という効果を奏する。
【００２６】
その理由は、本発明においては、ファクシミリ装置が、例えば部署数と同数の複数の回線に接続し、回線ごとに、受信文書の処理を指定可能としている、ためである。
【図面の簡単な説明】
【図１】本発明の一実施例の構成を示す図である。
【図２】本発明の一実施例の受信処理法法登録部の内容の一例を示す図である。
【図３】本発明の一実施例の動作を模式的に示す図である。
【符号の説明】
１０　ファクシミリ装置
１１　受信処理方法登録部
１２　操作部
１３　ＬＡＮインタフェース部
１４　プリンタ部
１５　スキャナ部
１６　通信部
１７　画データメモリ（ハードディスク）
１８　メイン制御部
２０　公衆回線網
３１、３２　ファクシミリ装置
４０　ＬＡＮ（ローカルエリアネットワーク）
５１　ＩＰアドレスファクシミリ装置
５２　パーソナルコンピュータ
【図１】
2004032057.tif 000003
【図２】
2004032057.tif 000004
【図３】
2004032057.tif 000005